(57)【要約】【課題】  子供心を刺激する面白さを備えた手袋と、この手袋を両側に備えたマフラーを提供する。【解決手段】  手袋１は、手の平を入れる手の平袋部２と、親指を入れる親指袋部３と、小指を入れる小指袋部４と、他の３本の指を入れる３本指袋部５とからなり、３本指袋部５の手の甲側に、人形体の頭部６が設けられている。マフラー２１は、手袋１が、マフラー本体２２の長手方向両側に設けられている。【選択図】      図１
2005009068.tif 000002
【特許請求の範囲】
【請求項１】
下記の要件を備えたことを特徴とする手袋。
（イ）手の平を入れる手の平袋部と、親指を入れる親指袋部と、小指を入れる小指袋部と、他の３本の指を入れる３本指袋部とからなること。
（ロ）３本指袋部の手の甲側には、人形体の頭部が設けられていること。
【請求項２】
人形体の頭部は、手の平に対して略直角に曲がる指の基部の位置に設けられていることを特徴とする請求項１記載の手袋。
【請求項３】
親指袋部と小指袋部の先部には、人形体の手部が設けられていることを特徴とする請求項１又は２記載の手袋。
【請求項４】
人形体の頭部は、ボア、布、合成皮革等の柔軟な素材で形成された表皮部と、スポンジ、綿等の弾性素材で形成され、表皮部内に詰められる詰め部材とからなり、３本指袋部の手の甲側に取り付けられていることを特徴とする請求項１、２又は３記載の手袋。
【請求項５】
人形体の手部は、ボア、布、合成皮革等の柔軟な素材で形成され、親指袋部と小指袋部の先部に取り付けられていることを特徴とする請求項１乃至４のいずれか１項に記載の手袋。
【請求項６】
請求項１乃至５のいずれか１項に記載の手袋が、マフラー本体の長手方向両側に設けられていることを特徴とするマフラー。
【発明の詳細な説明】
【技術分野】
【０００１】
本願発明は、手袋及び手袋を両側に備えたマフラーに関するものである。
【背景技術】
【０００２】
従来の手袋には、花等の立体的装飾物が設けられたものがあった。また、従来のマフラーは、帯状に形成されていた。
【発明の開示】
【発明が解決しようとする課題】
【０００３】
上記従来の手袋は、装飾性が重視され、子供心を刺激する面白さを備えた手袋は、存在しなかった。また、両側に上記手袋を備えたマフラーは、存在しなかった。
【０００４】
本願発明は、上記問題点に鑑み案出したものであって、子供心を刺激する面白さを備えた、従来にない新規な構造の興趣ある手袋を提供することを第１の目的とする。また、上記手袋が両側に設けられた、従来にない新規な構造の興趣あるマフラーを提供することを第２の目的とする。
【課題を解決するための手段】
【０００５】
請求項１記載の発明に係る手袋は、上記第１の目的を達成するため、下記の手段を有する。
（イ）手の平を入れる手の平袋部と、親指を入れる親指袋部と、小指を入れる小指袋部と、他の３本の指を入れる３本指袋部とからなること。
（ロ）３本指袋部の手の甲側には、人形体の頭部が設けられていること。
【０００６】
請求項２記載の発明に係る手袋は、上記第１の目的を達成するため、上記人形体の頭部が、手の平に対して略直角に曲がる指の基部の位置に設けられている。
【０００７】
請求項３記載の発明に係る手袋は、上記第１の目的を達成するため、上記親指袋部と小指袋部の先部に、人形体の手部が設けられている。
【０００８】
請求項４記載の発明に係る手袋は、上記第１の目的を達成するため、上記人形体の頭部が、ボア、布、合成皮革等の柔軟な素材で形成された表皮部と、スポンジ、綿等の弾性素材で形成され、表皮部内に詰められる詰め部材とからなり、３本指袋部の手の甲側に取り付けられている。
【０００９】
請求項５記載の発明に係る手袋は、上記第１の目的を達成するため、上記人形体の手部が、ボア、布、合成皮革等の柔軟な素材で形成され、親指袋部と小指袋部の先部に取り付けられている。
【００１０】
請求項６記載の発明に係るマフラーは、上記第２の目的を達成するため、上記手袋が、マフラー本体の長手方向両側に設けられている。
【発明の効果】
【００１１】
本願請求項１，２記載の手袋は、手の平を入れる手の平袋部と、親指を入れる親指袋部と、小指を入れる小指袋部と、他の３本の指を入れる３本指袋部とからなり、３本指袋部の手の甲側に、人形体の頭部が設けられているので、手の平の内側を見せると、３本指袋部の手の甲側に人形体の頭部が位置しているので、誰にも人形体の頭部を見せることがな
く、３本指袋部内の３本の指の基部を手の平に対して略直角に折り曲げると、手の甲側から人形体の頭部が飛び出して、見ている者を驚かすことができるという効果がある。
【００１２】
また、本願請求項１，２記載の手袋は、親指が入っている親指袋部と、小指が入っている小指袋部が、人形体の腕部となり、指人形遊びをすることができるという効果がある。このように、本願請求項１，２記載の手袋は、子供心を刺激する面白さを備えた、従来にない新規な構造であり、購買意欲を高めることができると共に子供の装着意欲を高めることができるという効果がある。
【００１３】
また、本願請求項３記載の手袋は、上記効果に加え、親指袋部と小指袋部の先部に人形体の手部が設けられているので、より人形体に近づけることができるという効果がある。
【００１４】
また、本願請求項４記載の手袋は、上記効果に加え、人形体の頭部が、ボア、布、合成皮革等の柔軟な素材で形成された表皮部と、スポンジ、綿等の弾性素材で形成され、表皮部内に詰められる詰め部材とからなるので、人や物にぶつかっても、傷つけることがなく、又手をも保護することができるという効果がある。
【００１５】
また、本願請求項５記載の手袋は、上記効果に加え、人形体の手部が、ボア、布、合成皮革等の柔軟な素材で形成され、親指袋部と小指袋部の先部に取り付けられているので、人や物にぶつかっても、傷つけることがなく、又指をも保護することができるという効果がある。
【００１６】
本願請求項６記載のマフラーは、マフラー本来の機能を備え、さらに上記効果を備えた手袋が、マフラー本体の長手方向両側に設けられているので、購買意欲を高めることができるという効果がある。また、手袋が両側に設けられているので、手袋の紛失を防止することができ、さらに両側に異なる形態の人形体の頭部を設けることによって、人形劇等の遊びを行うことができるという効果がある。
【発明を実施するための最良の形態】
【００１７】
本願発明の実施の形態を図１乃至図５に基づいて説明する。図１は、本願発明に係る手袋の一つの実施の形態を示す全体斜視図である。図２は、図１の正面図である。図３は、図１の使用状態を示す全体斜視図である。図４は、本願発明に係る手袋の細部を省略した説明図である。図５は、本願発明に係る手袋の他の実施の形態を示す全体斜視図である。
【００１８】
手袋１は、図１，図４（ｃ）に示すように、下部開口１ａから手の平１０を入れる手の平袋部２と、親指１１を入れる親指袋部３と、小指１５を入れる小指袋部４と、他の３本の指１２〜１４を入れる３本指袋部５とからなる。３本指袋部５の手の甲側５ａには、人形体の頭部６が設けられている。特に、人形体の頭部６は、手の平１０に対して略直角に曲がる指の基部１２ａ〜１４ａの位置に設けられていることが好ましい。
【００１９】
手袋１は、ボア、布、皮革、合成皮革、毛糸、綿等で形成され、特に素材に限定されるものではない。人形体の頭部６も、特に素材に限定されるものではなく、塩化ビニール等の合成樹脂によって中空状に形成されても構わないが、本実施の形態では、ボア、布、皮革、合成皮革、毛糸、綿等の柔軟な素材で形成された表皮部６ａと、スポンジ、綿等の弾性素材で形成され、表皮部６ａ内に詰められる詰め部材とからなり、３本指袋部５の手の甲側５ａに縫着されて取り付けられている。なお、人形体の頭部６は、縫着によって３本指袋部５に取り付けられているが、この取り付け方に限定されるものではない。
【００２０】
また、親指袋部３と小指袋部４の先部には、人形体の手部７，８が設けられている。この人形体の手部７，８も、特に素材に限定されるものではなく、塩化ビニール等の合成樹
脂によって中空状に形成されても構わないが、本実施の形態では、ボア、布、皮革、合成皮革、毛糸、綿等の柔軟な素材で形成され、親指袋部３と小指袋部４の先部に被せるようにして縫着されて取り付けられている。
【００２１】
なお、人形体の手部７，８は、縫着によって親指袋部３と小指袋部４の先部に取り付けられているが、この取り付け方に限定されるものではない。また、親指袋部３と小指袋部４の先部に、開口を形成しておき、その開口から突出する親指１１の先端と小指１５の先端が、人形体の手部７，８内に入るようにしても構わない（図４参照）。
【００２２】
手袋１は、上記構成を有し、下部開口１ａから手を差し込むと、図４（ａ）に示すように、手の平１０が手の平袋部２に入り、親指１１が親指袋部３に入り、小指１５が小指袋部４に入り、残りの３本の指１２〜１４が３本指袋部５に入ることになる。手袋１の手の平１０の内側１０ｂを見せると、図２に示すように、３本指袋部５の手の甲側５ａに人形体の頭部６が設けられているので、誰も人形体の頭部６を見ることができない。
【００２３】
３本指袋部５内の３本の指１２〜１４の基部１２ａ〜１４ａを手の平１０に対して略直角に折り曲げると、図３、図４（ｂ），（ｄ）に示すように、手の甲側５ａから人形体の頭部６が飛び出し、見ている者を驚かすことができる。また、親指１１が入っている親指袋部３と、小指１５が入っている小指袋部４が、人形体の腕部となり、指人形遊びをすることができる。
【００２４】
なお、図２に示すように、３本指袋部５の内側５ｂに顔を形成しておくことができる。このように形成すると、上記したように、手袋１の手の平１０の内側１０ｂを見せることによって、３本指袋部５の内側５ｂの顔が現れている。図３、図４（ｂ），（ｄ）に示すように、３本指袋部５内の３本の指１２〜１４の基部１２ａ〜１４ａを手の平１０に対して略直角に折り曲げることによって、３本指袋部５の内側５ｂの顔が隠れ、その代わりに手の甲側５ａから人形体の頭部６が現れる。このように、手袋１は、あたかも変身玩具のように遊ぶことができる。
【００２５】
３本指袋部５の人形体の頭部６の下部、即ち、指の中部１２ｂ〜１４ｂ及び先部１２ｃ〜１４ｃの部分が、図３に示すように、人形体の胴部を構成するので、３本指袋部５の手の甲側５ａの指の中部１２ｂ〜１４ｂ及び先部１２ｃ〜１４ｃの位置に（図４（ｃ）参照）、人形体の胴部９を取り付けたり、人形体の胴部９の模様を描いたりすると、一層人形体らしく形成される。さらに、手の平袋部２の内側１０ｂに、３本指袋部５に形成した人形体の胴部９に関連する装飾２ａを形成すると、より一層人形体らしくなる。
【００２６】
胴部９及び装飾２ａは、特に素材に限定されるものではなく、塩化ビニール等の合成樹脂によって形成されても構わないが、本実施の形態では、ボア、布、皮革、合成皮革、毛糸、綿等の柔軟な素材で形成され、３本指袋部５及び手の平袋部２に縫着されて取り付けられている。なお、胴部９及び装飾２ａは、この取り付け方に限定されるものではなく、また３本指袋部５及び手の平袋部２に直接描いても構わない。
【００２７】
なお、上記実施の形態では、手袋１とは別に人形体の手部７，８と人形体の胴部９を形成したが、図５に示す手袋１６のように、親指袋部１７と小指袋部１８を最初から人形の腕部形状に形成し、３本指袋部１９を人形体の胴部形状に形成し、さらに手の平袋部２０の内側２０ｂに３本指袋部１９の胴部形状に関連した形状を描いても構わない。
【００２８】
図６，７，８に示すように、２１は、上記手袋１，１６がマフラー本体２２の長手方向両側に設けられたマフラーである。マフラー本体２２は、ボア、布、皮革、合成皮革、毛糸、綿等で形成され、特に素材に限定されるものではない。図８に示すように、手袋１６
を、マフラー本体２２ｂの両側端縁２５に縫着して取り付けても構わないが、この取り付け方に限定されるものではない。
【００２９】
また、図７に示すように、毛糸によって、手袋１をマフラー本体２２ａの両側に一体的に形成して取り付けても構わない。係る場合、マフラー本体２２ａの両端に、手袋１内に手を入れるための開口２３を形成しておくようにする。このようにすると、手袋１，１６の紛失を防止することができ、さらに両側に異なる形態の人形体の頭部６を設けることによって、人形劇等の遊びを行うことができる。
【図面の簡単な説明】
【００３０】
【図１】本願発明に係る手袋の一つの実施の形態を示す全体斜視図である。
【図２】図１の正面図である。
【図３】図１の使用状態を示す全体斜視図である。
【図４】本願発明に係る手袋の細部を省略した説明図である。
【図５】本願発明に係る手袋の他の実施の形態を示す全体斜視図である。
【図６】本願発明に係るマフラーの一つの実施の形態を示す全体斜視図である。
【図７】手袋の取り付け方を示すマフラーの要部斜視図である。
【図８】手袋の取り付け方を示すマフラーの要部斜視図である。
【符号の説明】
【００３１】
１  手袋
１ａ  下部開口
２  手の平袋部
２ａ  装飾
３  親指袋部
４  小指袋部
５  ３本指袋部
５ａ  手の甲側
５ｂ  内側
６  人形体の頭部
６ａ  表皮部
７  人形体の手部
８  人形体の手部
９  人形体の胴部
１０  手の平
１０ｂ  内側
１１  親指
１２  指
１２ａ  指の基部
１２ｂ  指の中部
１２ｃ  指の先部
１３  指
１３ａ  指の基部
１３ｂ  指の中部
１３ｃ  指の先部
１４  指
１４ａ  指の基部
１４ｂ  指の中部
１４ｃ  指の先部
１５  小指
１６  手袋
１７  親指袋部
１８  小指袋部
１９  ３本指袋部
２０  手の平袋部
２０ｂ  内側
２１  マフラー
２２  マフラー本体
２２ａ  マフラー本体
２２ｂ  マフラー本体
２３  開口
２５  端縁
【図１】
2005009068.tif 000003
【図２】
2005009068.tif 000004
【図３】
2005009068.tif 000005
【図４】
2005009068.tif 000006
【図５】
2005009068.tif 000007
【図６】
2005009068.tif 000008
【図７】
2005009068.tif 000009
【図８】
2005009068.tif 000010